(57)【要約】【課題】アクセスポイントを介する携帯電話機への着呼に際して該携帯電話機が不応答の場合の呼を救済可能な電話交換システムにおける呼救済方法および電話交換機を提供する。【解決手段】電話交換機（１０）は、携帯電話機＃１（４０）の着信不応答を検出すると、携帯電話機＃１（４０）をアクセス圏内とする無線アクセスポイント＃１（３０）を携帯電話機位置管理装置（２０）への問い合わせにより特定し、無線アクセスポイント近隣固定電話機一覧テーブル（９４）にて特定した無線アクセスポイント＃１（３０）の近隣に配置された固定電話機＃１（５１）に携帯電話機＃１（４０）の呼を転送する。【選択図】  図１
2004357152.tif 000002
【特許請求の範囲】
【請求項１】
複数の携帯電話端末との接続を行う複数のアクセスポイントと複数の固定電話機とを収容する電話交換機を有する電話交換システムにおける呼救済方法において、
前記携帯電話端末がどのアクセスポイント圏内に存在するかを該携帯電話端末と前記アクセスポイントに関連つけて記憶し、
該記憶に基づく前記アクセスポイントを介する前記携帯電話端末への着信時に際して、該携帯電話端末が応答しない場合は、該アクセスポイントの近隣の少なくとも１台の固定電話機を特定し、
該特定した固定電話機に対して前記携帯電話端末に対する着信呼を転送することを特徴とする電話交換システムにおける呼救済方法。
【請求項２】
前記アクセスポイントに対応して該アクセスポイントの近隣の少なくとも１台の固定電話機を記憶し、
該記憶に基づき前記アクセスポイントの近隣の少なくとも１台の固定電話機を特定することを特徴とする請求項１記載の電話交換システムにおける呼救済方法。
【請求項３】
前記アクセスポイントのアドレス情報に基づき該アクセスポイントの近隣の少なくとも１台の固定電話機を特定することを特徴とする請求項１記載の電話交換システムにおける呼救済方法。
【請求項４】
前記アクセスポイントを介する前記携帯電話端末への着信時に際して、該携帯電話端末が応答しない場合は、
前記特定された複数の固定電話機に対して前記携帯電話端末に対する着信呼を一斉着信させることを特徴とする請求項１記載の電話交換システムにおける呼救済方法。
【請求項５】
前記アクセスポイントを介する前記携帯電話端末への着信時に際して、該携帯電話端末が応答しない場合は、
前記特定された複数の固定電話機に対して前記携帯電話端末に対する着信呼を予め設定された順番で順次着信させることを特徴とする請求項１記載の電話交換システムにおける呼救済方法。
【請求項６】
前記アクセスポイントを介する前記携帯電話端末への着信時に際して、該携帯電話端末が応答しない場合の呼救済動作を設定し、
前記呼救済動作に前記アクセスポイントの近隣の固定電話機への呼転送が設定されている場合に前記特定した固定電話機に対して前記携帯電話端末に対する着信呼を転送することを特徴とする請求項１記載の電話交換システムにおける呼救済方法。
【請求項７】
前記携帯電話端末が応答しない場合の呼救済動作は、
各アクセスポイントに対応して設定されることを特徴とする請求項６記載の電話交換システムにおける呼救済方法。
【請求項８】
複数の携帯電話端末との接続を行う複数のアクセスポイントと複数の固定電話機とを収容する電話交換システムにおける電話交換機において、
前記携帯電話端末がどのアクセスポイント圏内に存在するかを該携帯電話端末と前記アクセスポイントに関連つけて記憶する携帯電話端末位置記憶手段と、
前記携帯電話端末位置記憶手段の記憶に基づく前記アクセスポイントを介する前記携帯電話端末への着信時に際して、該携帯電話端末が応答しない場合は、該アクセスポイントの近隣の少なくとも１台の固定電話機を特定する固定電話機特定手段と、
前記特定手段で特定した固定電話機に前記携帯電話端末に対する着信呼を転送する呼転送手段とを具備することを特徴とする電話交換機。
【請求項９】
前記固定電話機特定手段は、
前記アクセスポイントに対応して該アクセスポイントの近隣の少なくとも１台の固定電話機を記憶する記憶手段
を有し、該記憶手段の記憶に基づき前記アクセスポイントの近隣の少なくとも１台の固定電話機を特定することを特徴とする請求項８記載の電話交換機。
【請求項１０】
前記固定電話機特定手段は、
前記アクセスポイントのアドレス情報に基づき該アクセスポイントの近隣の少なくとも１台の固定電話機を特定することを特徴とする請求項８記載の電話交換機。
【請求項１１】
前記呼転送手段は、
前記固定電話機特定手段で特定された複数の固定電話機に対して前記携帯電話端末に対する着信呼を一斉着信させることを特徴とする請求項８記載の電話交換機。
【請求項１２】
前記呼転送手段は、
前記固定電話機特定手段で特定された複数の固定電話機に対して前記携帯電話端末に対する着信呼を予め設定された順番で順次着信させることを特徴とする請求項８記載の電話交換機。
【請求項１３】
前記アクセスポイントを介する前記携帯電話端末への着信時に際して、該携帯電話端末が応答しない場合の呼救済動作を設定する呼救済動作設定手段
を更に具備し、
前記呼救済動作設定手段により前記アクセスポイントの近隣の固定電話機への呼転送が設定されている場合に、前記転送手段は前記特定手段で特定した固定電話機に対して前記携帯電話端末に対する着信呼を転送することを特徴とする請求項８記載の電話交換機。
【請求項１４】
前記呼救済動作設定手段は、
前記携帯電話端末が応答しない場合の呼救済動作を各アクセスポイントに対応して設定することを特徴とする請求項１３記載の電話交換機。
【発明の詳細な説明】
【０００１】
【発明の属する技術分野】
この発明は、電話交換システムにおける呼救済方法および電話交換機に関し、特に、アクセスポイントを介する携帯電話端末への着信に際して該携帯電話端末が不応答の場合は、該該携帯電話端末に対する着信呼をアクセスポイントの近隣の固定電話機に転送することで該着信呼を救済するようにした電話交換システムにおける呼救済方法および電話交換機に関する。
【０００２】
【従来の技術】
従来の電話交換システムに関する技術として、特許文献１記載の「交換システム、携帯電話機及び交換機」がある。
【０００３】
この特許文献１の発明は、パケット交換による通信を行うパケット交換網と、回線交換により通信を行う回線交換網と、内線電話機を収容する交換機と、内線電話機のユーザが所有する携帯電話機とを備えており、内線電話機の電源投入操作が行われると、交換機により、携帯電話機に不応答プログラムが設定され、また、携帯電話機を収容する移動交換局に、携帯電話機が応答しない呼を交換機に転送するように不応答転送が設定される。
【０００４】
この状態で発信者番号通知機能を有する電話機から携帯電話機に着信があると、交換機は、携帯電話機の電話番号に対応する電話機の電話番号を取得して携帯電話機への着信を内線電話機に転送する。
【０００５】
これにより、内線電話機と携帯電話機とを保有・管理する相手に通話する場合でも、発信者は携帯電話機に発信するだけで相手との情報伝達を可能にする。
【０００６】
【特許文献１】
特開２００３−４６６４５号公報。
【０００７】
【発明が解決しようとする課題】
ところで、上記特許文献１の発明における構成では、携帯電話機の着信先として電源を投入した内線電話機に自動設定される為、被発呼者が電源を投入した内線電話機から離れた場所に移動した場合、携帯電話機に対する着信の転送機能が有効に活用できないといった問題が生じる。
【０００８】
この問題を解決すべく、この発明においては、アクセスポイントを介する携帯電話機に対する着呼に際して該携帯電話機が不応答の場合の呼を救済可能な電話交換システムにおける呼救済方法および電話交換機を提供することを目的とする。
【０００９】
【課題を解決するための手段】
上記問題点を解決するために、請求項１の発明は、複数の携帯電話端末との接続を行う複数のアクセスポイントと複数の固定電話機とを収容する電話交換機を有する電話交換システムにおける呼救済方法において、携帯電話端末がどのアクセスポイント圏内に存在するかを携帯電話端末とアクセスポイントに関連つけて記憶し、記憶に基づくアクセスポイントを介する携帯電話端末への着信時に際して、携帯電話端末が応答しない場合は、アクセスポイントの近隣の少なくとも１台の固定電話機を特定し、特定した固定電話機に対して携帯電話端末に対する着信呼を転送することを特徴とする。
【００１０】
また、請求項２の発明は、請求項１の発明において、アクセスポイントに対応してアクセスポイントの近隣の少なくとも１台の固定電話機を記憶し、記憶に基づきアクセスポイントの近隣の少なくとも１台の固定電話機を特定することを特徴とする。
【００１１】
また、請求項３の発明は、請求項１の発明において、アクセスポイントのアドレス情報に基づきアクセスポイントの近隣の少なくとも１台の固定電話機を特定することを特徴とする。
【００１２】
また、請求項４の発明は、請求項１の発明において、アクセスポイントを介する携帯電話端末への着信時に際して、携帯電話端末が応答しない場合は、特定された複数の固定電話機に対して携帯電話端末に対する着信呼を一斉着信させることを特徴とする。
【００１３】
また、請求項５の発明は、請求項１の発明において、アクセスポイントを介する携帯電話端末への着信時に際して、携帯電話端末が応答しない場合は、特定された複数の固定電話機に対して携帯電話端末に対する着信呼を予め設定された順番で順次着信させることを特徴とする。
【００１４】
また、請求項６の発明は、請求項１の発明において、アクセスポイントを介する携帯電話端末への着信時に際して、携帯電話端末が応答しない場合の呼救済動作を設定し、呼救済動作にアクセスポイントの近隣の固定電話機への呼転送が設定されている場合に特定した固定電話機に対して携帯電話端末に対する着信呼を転送することを特徴とする。
【００１５】
また、請求項７の発明は、請求項６の発明において、携帯電話端末が応答しない場合の呼救済動作は、各アクセスポイントに対応して設定されることを特徴とする。
【００１６】
また、請求項８の発明は、複数の携帯電話端末との接続を行う複数のアクセスポイントと複数の固定電話機とを収容する電話交換システムにおける電話交換機において、携帯電話端末がどのアクセスポイント圏内に存在するかを携帯電話端末とアクセスポイントに関連つけて記憶する携帯電話端末位置記憶手段と、携帯電話端末位置記憶手段の記憶に基づくアクセスポイントを介する携帯電話端末への着信時に際して、携帯電話端末が応答しない場合は、アクセスポイントの近隣の少なくとも１台の固定電話機を特定する固定電話機特定手段と、特定手段で特定した固定電話機に携帯電話端末に対する着信呼を転送する呼転送手段とを具備することを特徴とする。
【００１７】
また、請求項９の発明は、請求項８の発明において、固定電話機特定手段は、アクセスポイントに対応してアクセスポイントの近隣の少なくとも１台の固定電話機を記憶する記憶手段を有し、記憶手段の記憶に基づきアクセスポイントの近隣の少なくとも１台の固定電話機を特定することを特徴とする。
【００１８】
また、請求項１０の発明は、請求項８の発明において、固定電話機特定手段は、アクセスポイントのアドレス情報に基づきアクセスポイントの近隣の少なくとも１台の固定電話機を特定することを特徴とする。
【００１９】
また、請求項１１の発明は、請求項８の発明において、呼転送手段は、固定電話機特定手段で特定された複数の固定電話機に対して携帯電話端末に対する着信呼を一斉着信させることを特徴とする。
【００２０】
また、請求項１２の発明は、請求項８の発明において、呼転送手段は、固定電話機特定手段で特定された複数の固定電話機に対して携帯電話端末に対する着信呼を予め設定された順番で順次着信させることを特徴とする。
【００２１】
また、請求項１３の発明は、請求項８の発明において、アクセスポイントを介する携帯電話端末への着信時に際して、携帯電話端末が応答しない場合の呼救済動作を設定する呼救済動作設定手段を更に具備し、呼救済動作設定手段によりアクセスポイントの近隣の固定電話機への呼転送が設定されている場合に、転送手段は特定手段で特定した固定電話機に対して携帯電話端末に対する着信呼を転送することを特徴とする。
【００２２】
また、請求項１４の発明は、請求項１３の発明において、呼救済動作設定手段は、携帯電話端末が応答しない場合の呼救済動作を各アクセスポイントに対応して設定することを特徴とする。
【００２３】
【発明の実施の形態】
以下、この発明に係わる電話交換機および電話交換システムの実施の形態を添付図面を参照して詳細に説明する。
【００２４】
なお、以下の実施の形態の説明においては、上記特許請求の範囲に記載した構成要素の対応として、「アクセスポイント」は「無線アクセスポイント」と称し、携帯電話端末は「携帯電話機」と称して説明する。
【００２５】
図１は、この発明に係わる電話交換システムの第１の構成例を示すシステム構成図である。
【００２６】
図１の電話交換システムは、携帯電話機＃１（４０）（携帯電話機＃２（５６））と、無線通信可能圏内に存在する複数の携帯電話機を収容する無線アクセスポイント＃１（３０）（無線アクセスポイント＃２（３１））、固定電話機、電話交換機１０で構成される。
【００２７】
電話交換機１０は、回線交換により通話を行う電話網１に接続し、無線通信可能圏内（エリア＃Ａ４、エリア＃Ｂ５）に存在する携帯電話機＃１（４０）（５６）を収容可能な複数の無線アクセスポイント（無線アクセスポイント＃１（３０）、無線アクセスポイント＃２（３１）と、パケット交換による通話が可能な複数の固定電話機（固定電話機＃１〜＃５）をＩＰ網３を介して収容する。
【００２８】
各無線アクセスポイントは、携帯電話機との無線通信用に設けられた所定の数の制御チャンネルおよび所定の数のデータ通信チャンネルにて携帯電話機＃１（４０）との無線通信状態（待機状態、話中、および、圏内および圏外への移動）を検知して携帯電話機位置管理装置２０および電話交換機１０に通知する。
【００２９】
また、無線アクセスポイント＃１（３０）（無線アクセスポイント＃２（３１））は、携帯電話機と無線通信を行う無線通信プロトコルと、電話交換機１０と呼制御データおよび通話データを送受信するパケット交換プロトコルとの相互変換を行うゲートウェイ機能により携帯電話機と電話交換機１０間の通信を制御する。
【００３０】
携帯電話機位置管理装置２０は、無線アクセスポイント＃１（３０）（無線アクセスポイント＃２（３１））から通知される携帯電話機の位置情報を記憶して管理し、電話交換機１０からの問合せに応じて携帯電話機を収容中の無線アクセスポイントを通知する機能を備える。
【００３１】
電話交換機１０は、ＩＰ網３、無線アクセスポイント＃１（３０）（無線アクセスポイント＃２（３１））、無線通信路６を介して携帯電話機＃１（４０）（携帯電話機＃２（５６））への発呼処理を行う際、発呼処理に対する携帯電話機＃１（４０）（携帯電話機＃２（５６））の不応答を検出すると、被発呼の携帯電話機＃１（４０）（携帯電話機＃２（５６））を収容する無線アクセスポイント＃１（３０）（無線アクセスポイント＃２（３１））の近隣に配置される所定の固定電話機を特定して呼転送を行う。
【００３２】
例えば、図１の構成において、発呼側電話機２が、エリア＃Ａ４に存在する携帯電話機＃１（４０）に発呼した場合、電話交換機１０は、無線アクセスポイント＃１（３０）から被発呼先の携帯電話機＃１（４０）が不応答であることを検知した場合、無線アクセスポイント＃１（３０）の近隣に配置された固定電話機＃１（５１）、もしくは固定電話機＃２（５２）、あるいは両方の固定電話機に対し、被発呼携帯電話機への着信呼を転送する。
【００３３】
次に、図１に示した電話交換システムの各構成機器の制御構成について説明する。
【００３４】
図２は、この発明に係わる電話交換システムの電話交換機の制御構成の一例を示すブロック図である。
【００３５】
図２において、電話交換機１０は、電話交換機主制御部１２と、電話機交換機記憶部１１と、呼制御／通話制御部１４と、携帯電話機不応答転送制御部１５と、携帯電話機位置問合せ部１６と、テーブルメンテナンス部８１と、電話交換機ＩＰ網通信制御部１９と、音声交換処理部１８と、電話網通信制御部１７とで構成される。
【００３６】
電話交換機主制御部１２は、電話交換機１０の各制御部に接続して各制御ブロック間で発生するデータの入出力制御および電話交換機１０全体を統括して制御する。
【００３７】
電話機交換機記憶部１１は、携帯電話機位置管理装置アドレス情報９６、携帯電話機認証情報９８、固定電話機一覧テーブル９２、無線アクセスポイント近隣固定電話機一覧テーブル９４、携帯電話機一覧テーブル９７、無線アクセスポイント一覧テーブル９３、被発呼携帯電話機不応答動作規定テーブル９５を記憶して管理する。
【００３８】
携帯電話機位置管理装置アドレス情報９６は、電話交換機１０が携帯電話機位置管理装置２０とＩＰ網３を介して通信を行うための携帯電話機位置管理装置２０のアドレス情報である。
【００３９】
携帯電話機認証情報９８は、電話交換機１０が収容する無線アクセスポイントを介しての通話を許可する携帯電話機を認証するための固体識別情報等を記憶する。
【００４０】
固定電話機一覧テーブル９２は、電話交換機１０が収容する固定電話機の識別情報と、各固定電話機のＩＰアドレスを記憶して管理する。
【００４１】
無線アクセスポイント近隣固定電話機一覧テーブル９４は、電話交換機１０が収容する無線アクセスポイントの近隣に配置される固定電話機の識別情報の組を記憶して管理する。
【００４２】
携帯電話機一覧テーブル９７は、電話交換機１０が収容する携帯電話機＃１（４０）の識別情報と携帯電話番号の組を記憶して管理する。
【００４３】
無線アクセスポイント一覧テーブル９３は、電話交換機１０が収容する無線アクセスポイントをユニークに識別する無線アクセスポイント識別子と、ＩＰ網３における各無線アクセスポイント識別子に対応するアドレス情報の組を記憶して管理する。
【００４４】
被発呼携帯電話機不応答動作規定テーブル９５は、携帯電話機への発呼が、不応答もしくは話中によって確立できない場合の呼の救済方法を無線アクセスポイント毎に予め設定して管理する。
【００４５】
呼制御／通話制御部１４は、回線交換網通信プロトコルとＩＰ網通信プロトコル間におけるゲートウェイ変換機能を有し、電話網１およびＩＰ網３を介する通話を行う為の、呼制御および呼確立後の通話制御を行う。
【００４６】
携帯電話機不応答転送制御部１５は、電話交換機１０が収容する無線アクセスポイントの無線通信可能圏内に存在する携帯電話機への着信が不可能な場合の呼の救済処理として、電話交換機記憶部１１に記憶された被発呼携帯電話機不応答動作規定テーブル９５に基づいて電話交換システム内に配置された所定の固定電話機に呼転送を行う。
【００４７】
携帯電話機位置問合せ部１６は、携帯電話機位置管理装置２０に対して、所望の携帯電話機を収容する無線アクセスポイントの識別情報を問い合わせる。
【００４８】
テーブルメンテナンス部８１は、管理用操作・表示部８２に接続し、管理用操作・表示部８２における管理者のメンテナンス操作を検出して電話交換機記憶部１１に記憶される各テーブルのメンテナンス処理を行う。
【００４９】
電話交換機ＩＰ網通信制御部１９は、呼制御通信、通話時の音声通信、データ通信に伴うパケット通信制御を行う。
【００５０】
音声交換処理部１８は、音声コーデック等を含み、音声信号のデジタル変換あるいはデジタル化された音声信号を復元処理を行う。
【００５１】
電話網通信制御部１７は、電話網１を介して通話を行う電話機との回線交換方式による通信制御を行う。
【００５２】
次に、携帯電話機位置管理装置２０の制御構成について説明する。
【００５３】
図３は、この発明に係わる電話交換システムの携帯電話機位置管理装置の制御構成の一例を示すブロック図である。
【００５４】
図３において、携帯電話機位置管理装置２０は、ＩＰ網３を介して接続される無線アクセスポイントからの通知によって電話交換システム内における携帯電話機の位置を管理し、また、電話交換機１０からの問合せに基づいて、携帯電話機＃１（４０）（携帯電話機＃２（５６））を収容する無線アクセスポイント＃１（３０）（無線アクセスポイント＃２（３１））を通知するための装置である。
【００５５】
携帯電話機位置管理装置２０は、携帯電話機位置管理装置主制御部２２と、携帯電話機位置情報提供部２５と、携帯電話機位置情報受信部２４と、携帯電話機位置管理装置ＩＰ網通信制御部２３とを具備して構成される。
【００５６】
携帯電話機位置管理装置主制御部２２は、携帯電話機位置情報提供部２５、携帯電話機位置情報受信部２４、携帯電話機位置管理装置ＩＰ網通信制御部２３と接続して各制御ブロック間に発生するデータの入出力を制御し、携帯電話機位置管理装置２０全体を統括して制御する。
【００５７】
携帯電話機位置管理装置ＩＰ網通信制御部２３は、ＩＰ網３を介して接続する電話交換機１０、無線アクセスポイント＃１（３０）（無線アクセスポイント＃２（３１））、固定電話機（＃１（５１）〜＃２（５５））とのパケット通信制御を行い、特に、電話交換機１０からの位置情報問合せパケットを受信した場合は携帯電話機位置情報提供部２５にパケットデータの内容を通知し、位置情報通知パケットを受信した場合は携帯電話機位置情報受信部２４に受信したパケットデータの内容を通知する。
【００５８】
携帯電話機位置情報受信部２４は、携帯電話機位置管理装置ＩＰ網通信制御部２３を介して受信した位置情報通知パケットの内容に基づいて、携帯電話機位置管理装置記憶部２１に記憶された携帯電話機位置管理テーブル２６に携帯電話機＃１（４０）の位置情報を登録し、登録結果をパケット送信元に応答する。
【００５９】
携帯電話機位置情報提供部２５は、携帯電話機位置管理装置ＩＰ網通信制御部２３を介して受信した位置情報問合せパケットから携帯電話機識別情報７０を抽出し、携帯電話機＃１（４０）を収容する無線アクセスポイント識別子を携帯電話機位置管理装置記憶部２１に記憶された携帯電話機位置管理テーブル２６を参照して取得し、取得した無線アクセスポイント識別子をセットした応答パケットを作成し、携帯電話機位置管理装置ＩＰ網通信制御部２３を介して問合せパケットの発信元に送信する。
【００６０】
次に、無線アクセスポイントの制御構成について説明する。
【００６１】
図４は、この発明に係わる電話交換システムの無線アクセスポイントの制御構成の一例を示すブロック図である。
【００６２】
図４において、無線アクセスポイント＃１（３０）は、無線アクセスポイント主制御部３２と、無線アクセスポイント記憶部３７と、無線アクセスポイントＩＰ網通信制御部３４と、対携帯電話機無線通信制御部３５と、エリア内携帯電話機監視部３６と、携帯電話機監視情報送信部３３とにより構成される。
【００６３】
無線アクセスポイント主制御部３２は、各制御ブロックに接続して各制御ブロック間に発生するデータの入出力を制御して無線アクセスポイント＃１（３０）全体を統括的に制御する。
【００６４】
無線アクセスポイント記憶部３７は、対携帯電話機無線通信管理情報７３と、電話交換機アドレス情報７１と、携帯電話機位置管理装置アドレス情報９６とを記憶して管理する。
【００６５】
対携帯電話機無線通信管理情報７３は、収容する携帯電話機との無線通信を制御するために設けられた複数の制御チャンネル、データ通信チャンネルを特定するためのチャンネル識別子と、各制御チャンネルおよびデータ通信チャンネルに割り当てられた携帯電話機識別子を記憶して管理するための情報である。
【００６６】
携帯電話機位置管理装置アドレス情報９６は、ＩＰ網３を介して携帯電話機位置管理装置２０とパケット通信を行うための携帯電話機位置管理装置２０に割り当てられたアドレス情報である。
【００６７】
電話交換機アドレス情報７１は、ＩＰ網３を介して電話交換機１０とパケット通信を行うためのアドレス情報である。
【００６８】
無線アクセスポイントＩＰ網通信制御部３４は、ＩＰ網３とのパケット送受信を制御する。
【００６９】
対携帯電話無線通信制御部３５は、無線通信可能圏内に存在する携帯電話機との無線通信において、制御チャンネルおよび通信チャンネルの割り当て、割り当て解除を管理して、無線通信可能圏内における各携帯電話機との無線通信を制御する。
【００７０】
エリア内携帯電話機監視部３６は、携帯電話機の圏外への移動、あるいは、圏内への移動を検出し、検出した携帯電話機の携帯電話機識別子を携帯電話機監視情報送信部３３に出力する。
【００７１】
携帯電話機監視情報送信部３３は、エリア内携帯電話機監視部３６から通知された携帯電話機識別子と自無線アクセスポイント識別子を含む携帯電話機位置通知用パケットを作成し、ＩＰ網３を介して電話交換機１０に送信する。
【００７２】
次に、携帯電話機の制御構成について、図１に示した携帯電話機＃１（４０）の例を示して説明する。
【００７３】
図５は、この発明に係わる電話交換システムの携帯電話機の制御構成の一例を示すブロック図である。
【００７４】
図５において、携帯電話機＃１（４０）は、携帯電話機主制御部４３と、携帯電話機記憶部４１と、携帯電話機識別情報提供部４２と、対無線アクセスポイント無線通信制御部４４と、通話制御部４５と、表示制御部４６と、ボタン入力制御部４７とにより構成される。
【００７５】
携帯電話機主制御部４３は、携帯電話機＃１（４０）の各制御ブロック間におけるデータの送受信を制御して携帯電話機＃１（４０）全体を統括的に制御する。
【００７６】
携帯電話機記憶部４１は、携帯電話機＃１（４０）の制御プログラム、アドレス帳等を記憶し、特に、携帯電話機＃１（４０）が、電話交換機１０が機器認証する際に必要な携帯電話機番号等を含む固体識別情報、無線アクセスポイント＃１（３０）との無線通信を行う際に確立された制御チャンネル、データ通信チャンネルの識別番号を記憶して管理する。
【００７７】
携帯電話機識別情報提供部４２は、無線アクセスポイント＃１（３０）との間の無線通信において、無線通信路６の確立時もしくは、無線通信路６の確立後に無線アクセスポイント＃１（３０）からの問合せが発生した場合に、携帯電話機記憶部４１に記憶した携帯電話識別情報５０を通知する無線通信用のデータを生成して対無線アクセスポイント無線通信制御部４４に出力する。
【００７８】
対無線アクセスポイント無線通信制御部４４は、無線アクセスポイント＃１（３０）との無線通信に必要な、制御チャンネル、データ通信チャンネルの割り当て、割り当て解除を管理し、無線アクセスポイント＃１（３０）との間に確立された無線通信路６を介してデータ伝送制御を行う。
【００７９】
通話制御部４５は、音声コーデックを含み、対無線アクセスポイント無線通信制御部４４との間で実施されるデジタル音声データの送受信を制御し、マイク（図示せず）から入力された送話音声をデジタル化し、受信したデジタル音声信号をアナログ音声信号に変換してスピーカ（図示せず）に出力する。
【００８０】
表示制御部４６は、表示部４８に接続して携帯電話機主制御部４３を介して受信した表示データを表示部４８に出力する。
【００８１】
ボタン入力制御部４７は、ボタン操作部４９に接続してユーザのボタン入力操作を検出して携帯電話機主制御部４３へ通知する。
【００８２】
次に、図１示した電話交換システムにおいて、特に、被発呼携帯電話機の呼転送制御に係わる電話交換機１０、無線アクセスポイント＃１（３０）、携帯電話機位置管理装置２０の記憶部に記憶される各テーブルの登録例について説明する。
【００８３】
図６は、携帯電話機位置管理装置２０に記憶される携帯電話機位置管理テーブル２６の登録例を示すテーブルレイアウト図である。
【００８４】
図６において、携帯電話機位置管理テーブル２６は、電話交換機１０が収容する無線アクセスポイント毎の無線通信可能エリア圏内に存在する携帯電話機を記憶して管理するテーブルである。
【００８５】
携帯電話機位置管理テーブル２６が管理する項目は、携帯電話機識別子と、無線アクセスポイント識別子があり、携帯電話機識別子、無線アクセスポイント識別子は、それぞれ携帯電話機および無線アクセスポイント＃１（３０）を電話交換システム内でユニークに特定するために割り当てられた識別情報である。
【００８６】
また、携帯電話機識別子、無線アクセスポイント識別子は、それぞれ、図１に示した電話交換機１０の記憶部に記憶された携帯電話機一覧テーブル９７、無線アクセスポイント一覧テーブル９３に登録された識別子が設定される。
【００８７】
図７は、電話交換機にて記憶される固定電話機一覧テーブル９２の設定内容を示すテーブルレイアウト図である。
【００８８】
図７において、固定電話機一覧テーブル９２は、電話交換システム内に収容される固定電話機の識別情報を記憶して管理する項目である。
【００８９】
固定電話識別子は、固定電話機が、電話交換システム内でユニークに特定する為に予め割り当てられた識別情報である。
【００９０】
ＩＰアドレスは、ＩＰ網経由でのパケット通信を行うために各固定電話機にアサインされたアドレス情報である。
【００９１】
図８は、携帯電話機位置管理装置にて記憶される無線アクセスポイント一覧テーブルの登録例を示すテーブルレイアウト図である。
【００９２】
図８において、無線アクセスポイント一覧テーブルは、電話交換システム内に収容される各無線アクセスポイント＃１（３０）（無線アクセスポイント＃２（３１））に割り当てられたＩＰアドレスを管理するテーブルであり、無線アクセスポイント＃１（３０）（無線アクセスポイント＃２（３１））をシステム内で一意に特定するための無線アクセスポイント識別子とそのＩＰアドレスの組を記憶して管理する。
【００９３】
図９は、電話交換機にて記憶管理される無線アクセスポイント近隣固定電話機一覧テーブルの内容を示すテーブルレイアウト図である。
【００９４】
図９において、無線アクセスポイント近隣固定電話機一覧テーブル９４は、無線アクセスポイント一覧テーブル９３と、固定電話機一覧テーブル９２に基づいて、電話交換システム内に収容された無線アクセスポイント＃１（３０）（無線アクセスポイント＃２（３１））の近隣に配置される固定電話機を特定するために、図８にて示した無線アクセスポイント識別子に対応する固定電話機識別子の対を記憶して管理するテーブルである。
【００９５】
図１０は、電話交換機に記憶される携帯電話機不応答動作規定テーブルの登録データの一例を示すテーブルレイアウト図である。
【００９６】
図１０において、被発呼携帯電話機不応答動作規定テーブル９５は、図１に示した電話交換システム内において、電話網１に接続した発呼側電話機２あるいは、電話交換システム内の電話機から携帯電話機に対する発呼要求を検出した場合、被発呼先の携帯電話機が話中もしくは電源断などにより発呼に対する応答が不可能な時に、電話交換機１０が被発呼携帯電話機の呼を救済するための詳細な動作規定を、無線アクセスポイント毎に設定して管理するためのテーブルである。
【００９７】
被発呼携帯電話機不応答動作規定テーブル９５の設定項目は、無線アクセスポイント識別子、着信応答、動作規定が有る。
【００９８】
無線アクセスポイント識別子は、無線アクセスポイント一覧テーブル９３で定義された無線アクセスポイント識別子が使用されて設定される。
【００９９】
着信応答は、携帯電話機＃１（４０）の発呼要求に対する携帯電話機＃１（４０）の応答状態を細分化した項目であり、例えば、図１０においては、応答がタイムアウトとなる「応答なし」と、別の電話機との間での通話中による「話中」が設定される。
【０１００】
また、動作規定の登録例としては、被発呼携帯電話機を収容する無線アクセスポイント＃１（３０）（無線アクセスポイント＃２（３１））の近隣に配置される固定電話機に対して呼転送を行う設定、電話交換機１０の中継台に呼を転送する設定、電話交換システム内の特定の固定電話機に呼を転送する設定、ボイスメールへの呼を転送する設定等がある。
【０１０１】
また、固定電話機への呼転送形態としては、複数台の固定電話機に対して一斉に着信する設定、複数台の固定電話機に予め設定した順序で呼転送を行う設定等がある。
【０１０２】
なお、図１０に示したテーブルレイアウトは、呼の救済方法を被発呼携帯電話機を収容する無線アクセスポイントの識別情報毎に管理する場合の例であるが、これに限定されず、さらに、動作規定を被発呼携帯電話機毎に細分化して管理することも可能である。
【０１０３】
また、呼転送先の固定電話機の特定方法は、被発呼携帯電話機を収容する無線アクセスポイント識別子を経由せずに、携帯電話機識別子から直接参照可能なテーブルを別に設けて各種動作規定を特定する構成にすることも可能である。
【０１０４】
次に、図１の電話交換機１０が被発呼携帯電話機の不応答を検出した場合の呼転送処理について説明する。
【０１０５】
図１１および図１２は、図１に示した電話交換システムにおいて、電話交換機１０が収容する電話機に対する発呼要求を電話網１を介して受信したときの処理手順を示すフローチャートである。
【０１０６】
図１１において、電話交換機１０が発呼側電話機２からの発呼を電話網１を介して検出すると、電話交換機１０の呼制御／通話制御部１４は、電話網通信制御部１７を介して発呼信号を検出し（ステップＳ１０１）、検出した発呼信号から被発呼先の電話番号を抽出する（ステップＳ１０２）。
【０１０７】
抽出した電話番号が固定電話機の番号である場合（ステップＳ１０３でＮＯ）、電話交換機１０の呼制御／通話制御部１４は、固定電話機一覧テーブル９２を参照して検出した電話番号に対応する固定電話機のＩＰアドレスを取得する。
【０１０８】
電話交換機１０の呼制御／通話制御部１４は、ＩＰ網３において呼制御を行うための標準プロトコル手順に従って電話交換機ＩＰ網通信制御部１９およびＩＰ網３を介して検出した固定電話機に発呼する（ステップＳ１２３）。
【０１０９】
一方、被発呼先の電話番号が携帯電話機の番号である場合（ステップＳ１０３でＹＥＳ）、電話交換機１０の呼制御／通話制御部１４は、携帯電話機一覧テーブル９７を参照して、携帯電話機識別子（電話交換機記憶部１１に記憶した変換テーブルで携帯電話機の番号から取得する）に対応する携帯電話機識別情報７０を取得する（ステップＳ１０４）。
【０１１０】
電話交換機１０の携帯電話機位置問合せ部１６は、電話交換機記憶部１１に記憶された携帯電話機位置管理装置２０のＩＰアドレス宛に、取得した携帯電話識別子を含む携帯電話機位置問合せパケットを電話交換機ＩＰ網通信制御部１９を介して送信する（ステップＳ１０５）。
【０１１１】
携帯電話機位置管理装置２０において、携帯電話機位置情報提供部２５は、電話交換機１０からの携帯電話機位置問合せパケットを携帯電話機位置管理装置ＩＰ網通信制御部２３を介して受信し（ステップＳ１０６）、受信パケットから携帯電話機識別情報７０を抽出する（ステップＳ１０７）。
【０１１２】
携帯電話機位置情報提供部２５は、携帯電話機位置管理装置記憶部２１の携帯電話機位置管理テーブル２６を参照し、抽出した携帯電話機識別子に対応する無線アクセスポイント識別子を取得する（ステップＳ１０８）。
【０１１３】
携帯電話機位置管理装置２０の携帯電話機位置情報提供部２５は、ステップＳ１０８で取得した無線アクセスポイント識別子を含む応答パケットを作成し、携帯電話機位置管理装置ＩＰ網通信制御部２３を介して電話交換機１０に送信する（ステップＳ１０９）。
【０１１４】
電話交換機１０において、電話交換機ＩＰ網通信制御部１９を介して携帯電話機位置管理装置２０からの応答パケットを受信した携帯電話機位置問合せ部１６は、応答パケットから無線アクセスポイント識別子を抽出する（ステップＳ１１０）。
【０１１５】
携帯電話機位置問合せ部１６は、電話交換機記憶部１１の無線アクセスポイント一覧テーブル９３を参照し、抽出した無線アクセスポイント識別子に対応するＩＰアドレスを取得し、取得したＩＰアドレスを呼制御／通話制御部１４に通知し、携帯電話機識別子宛への呼確立要求を指示する。
【０１１６】
呼制御／通話制御部１４は、携帯電話機位置問合せ部１６から通知された無線アクセスポイントのＩＰアドレスを宛先とする、被発呼先となる携帯電話機識別子を含む呼制御のためのパケットを作成して、通知された無線アクセスポイントにパケットを送信する（ステップＳ１１１）。
【０１１７】
無線アクセスポイント＃１（３０）（または、無線アクセスポイント＃２（３１））おいて、無線アクセスポイントＩＰ網通信制御部３４を介して呼制御パケットを受信した、対携帯電話機無線通信制御部３５は、受信パケットから被発呼携帯電話機の携帯電話機識別子を抽出し、被発呼携帯電話機に呼が発生したことを検知する。
【０１１８】
対携帯電話機無線通信制御部３５は、自無線アクセスポイントと被発呼携帯電話機との間で確立された無線通信のための制御チャンネルおよび被発呼携帯電話機に割り当てられたデータ通信用チャンネルを用いて発呼信号を被発呼携帯電話機に送信し、被発呼携帯電話機からの応答を監視する（ステップＳ１１２）。
【０１１９】
引き続いて図１２のフローチャートにおいて、被発呼携帯電話機が無線アクセスポイントを介して応答した場合は（ステップＳ１１３でＮＯ）、被発呼携帯電話機との呼制御を行う（ステップＳ１２０）。
【０１２０】
被発呼携帯電話機が不応答もしくは他の電話機との通話中によって、被発呼携帯電話機との間で呼が確立出来ない場合（ステップＳ１１３でＹＥＳ）、無線アクセスポイント＃１（３０）（無線アクセスポイント＃２（３１））の対携帯電話機無線通信制御部３５は、被発呼携帯電話機との呼制御に失敗した旨を通知する応答パケットを無線アクセスポイントＩＰ網通信制御部３４を介して電話交換機１０に送信する。
【０１２１】
電話交換機１０において、呼制御／通話制御部１４が電話交換機ＩＰ網通信制御部１９を介して発呼失敗を示す応答パケットを受信すると、呼制御／通話制御部１４は、不応答の被発呼携帯電話機識別子、無線アクセスポイント識別子、携帯電話機不応答の種別（不応答、話中）を携帯電話機不応答転送制御部１５に出力する。
【０１２２】
携帯電話機不応答転送制御部１５は、通知された無線アクセスポイント識別子に対応する動作規定を取得し（ステップＳ１１４）、取得した動作規定の内容に呼救済動作が設定されているかを判断する（ステップＳ１１５）。
【０１２３】
取得した動作規定が特に設定されていない場合（ステップＳ１１５でＮＯ）発呼受信処理を終了する。
【０１２４】
取得した動作規定の内容に固定電話機への呼転送が設定されている場合（ステップＳ１１６でＹＥＳ）
、携帯電話機不応答転送制御部１５は、無線アクセスポイント識別子に基づいて、無線アクセスポイント近隣固定電話機一覧テーブル９４を参照し、通知された無線アクセスポイント識別子に対応する固定電話機の固定電話機識別子を取得する（ステップＳ１１７）。
【０１２５】
携帯電話機不応答転送制御部１５は、固定電話機一覧テーブル９２を参照し、取得した固定電話機識別子に対応する固定電話機のＩＰアドレスを取得する（ステップＳ１１８）。
【０１２６】
携帯電話機不応答転送制御部１５は、取得した固定電話機のＩＰアドレスを呼制御／通話制御部１４に通知し、通知したＩＰアドレス宛へ被発呼携帯電話機宛への呼を転送するよう指示する（ステップＳ１１９）。
【０１２７】
ステップＳ１１６に戻り、取得した動作規定の内容が固定電話機への呼転送以外の設定であり、（ステップＳ１１６でＮＯ）、例えば、ボイスメールへの転送設定（図４の被発呼携帯電話機不応答動作規定テーブルにおいて、アクセスポイント識別子が「ＡＰ：００１」で、被発呼携帯電話機の応答が「話中」）がある場合（ステップＳ１２１でＹＥＳ）、ボイスメールへ被発呼携帯電話機の呼を転送する（ステップＳ１２２）。
【０１２８】
なお、被発呼携帯電話機の呼転送対象となる固定電話機が複数ある場合には、上記ステップＳ１１７で各固定電話機のＩＰアドレスを取得し、ステップＳ１１８においては、各固定電話機宛への呼転送用パケットをそれぞれ作成して、呼転を行う
【０１２９】
以上が、この発明に係わる電話交換システムにおける呼救済方法および電話交換機の一実施形態についての説明である。
【０１３０】
なお、この発明における電話交換システムの構成機器として、電話交換機が収容する固定電話機は、上記実施例にて説明したＩＰ網に接続する電話機に限定されない。
【０１３１】
図１３は、電話交換機１０に収容される固定電話機の機種が、図１の構成において示したＩＰ網３に接続してパケット交換により通信を行うＩＰ電話機以外に、回線交換網に接続して回線交換による通信を行うデジタル電話機、アナログ電話機をも収容した場合のシステム構成図である。
【０１３２】
図１３において、電話交換機１０は、図２に示した電話交換機の制御構成に回線交換網用通信制御部（図示せず）を追加し、また、電話交換機記憶部１１においては、固定電話機一覧テーブル９２の管理項目に、固定電話機毎の通信種別（ＩＰ網、回線交換網）を管理する項目を追加して配置される。
【０１３３】
図１３の構成において、電話交換機１０の呼制御／通話制御部１４は、電話交換機１０が収容する固定電話機への発呼あるいは呼転送処理を行う際、被発呼先となる固定電話機の識別情報に基づいて固定電話機の通信種別を取得する。
【０１３４】
そして、呼制御／通話制御部１４は、取得した固定電話機の通信種別に基づいて通信路（ＩＰ網３あるいは回線交換網７）を特定し、特定した通信路に対応する通信制御手段（電話交換機ＩＰ網通信制御部１９あるいは回線交換網通信制御手段（図示せず））にて電話交換処理を行う。
【０１３５】
【発明の効果】
以上説明したようにこの発明によれば、携帯電話機および固定電話機を収容し、呼転送機能を有する電話交換機および電話交換システムにおいて、被発呼携帯電話機が応答不能の場合、呼の転送先を静的に固定することなく、被発呼携帯電話機を無線通信可能圏内とする無線アクセスポインの近隣に設置した固定電話機を特定し、被発呼携帯電話機の呼を転送するように構成したので、従来の転送先が固定で管理される電話交換システムと比べ、被発呼携帯電話機の不応答に対する呼を高い確率で救済することが可能となる。
【図面の簡単な説明】
【図１】この発明に係わる電話交換システムの第１の構成例を示すシステム構成図である。
【図２】この発明に係わる電話交換システムにおける電話交換機の制御構成の一例を示すブロック図である。
【図３】この発明に係わる電話交換システムにおける携帯電話機位置管理装置の制御構成の一例を示すブロック図である。
【図４】この発明に係わる電話交換システムにおける無線アクセスポイントの制御構成の一例を示すブロック図である。
【図５】この発明に係わる電話交換システムにおける携帯電話機の制御構成の一例を示すブロック図である。
【図６】携帯電話機位置管理装置に記憶される携帯電話機位置管理テーブルの登録例を示すテーブルレイアウト図である。
【図７】電話交換機にて記憶される固定電話機一覧テーブルの設定内容を示すテーブルレイアウト図である。
【図８】携帯電話機位置管理装置にて記憶される無線アクセスポイント一覧テーブルの登録例を示すテーブルレイアウト図である。
【図９】電話交換機にて記憶管理される無線アクセスポイント近隣固定電話機一覧テーブルの内容を示すテーブルレイアウト図である。
【図１０】電話交換機に記憶される携帯電話機不応答動作規定テーブルの内容を示すテーブルレイアウト図である。
【図１１】図１１は、図１に示した電話交換システムにおいて、電話交換機が収容する電話機に対する発呼要求を電話網から受信したときの前半の処理手順を示すフローチャートである。
【図１２】図１２は、図１に示した電話交換システムにおいて、電話交換機が収容する電話機に対する発呼要求を電話網から受信したときの処理手順を図１１に続いて示すフローチャートである。
【図１３】この発明に係わる電話交換システムにおいて、電話交換システムに収容される固定電話機の機種が、図１の構成において示したＩＰ網に接続してパケット交換により通信を行うＩＰ電話機以外に、回線交換網に接続して回線交換による通信を行うデジタル電話機、アナログ電話機を収容した場合のシステム構成図である。
【符号の説明】
１    電話網
２    発呼側電話機
３    ＩＰ網
４    エリア＃Ａ
５    エリア＃Ｂ
６    無線通信路
１０    電話交換機
１２    電話交換機主制御部
１１    電話機交換機記憶部
１４    呼制御／通話制御部
１５    携帯電話機不応答転送制御部
１６    携帯電話機位置問合せ部
８１    テーブルメンテナンス部
１９    電話交換機ＩＰ網通信制御部
１８    音声交換処理部
１７    電話網通信制御部
８２    管理用操作・表示部
２０    携帯電話機位置管理装置
２２    携帯電話機位置管理装置主制御部
２５    携帯電話機位置情報提供部
２４    携帯電話機位置情報受信部
２３    携帯電話機位置管理装置ＩＰ網通信制御部
２１    携帯電話機位置管理装置記憶部
３０    無線アクセスポイント＃１
３１    無線アクセスポイント＃２
３２    無線アクセスポイント主制御部
３７    無線アクセスポイント記憶部
３４    無線アクセスポイントＩＰ網通信制御部
３５    対携帯電話機無線通信制御部
３６    エリア内携帯電話機監視部
３３    携帯電話機監視情報送信部
４０    携帯電話機＃１
５６    携帯電話機＃２
４３    携帯電話機主制御部
４１    携帯電話機記憶部
４２    携帯電話機識別情報提供部
４４    対無線アクセスポイント無線通信制御部
４５    通話制御部
４６    表示制御部
４７    ボタン入力制御部
４８    表示部
４９    ボタン操作部
５１    固定電話機＃１
５２    固定電話機＃２
５３    固定電話機＃３
５４    固定電話機＃４
５５    固定電話機＃５
９２    固定電話機一覧テーブル
９３    無線アクセスポイント一覧テーブル
９４    無線アクセスポイント近隣固定電話機一覧テーブル
９５    被発呼携帯電話機不応答動作規定テーブル
９６    携帯電話機位置管理装置アドレス情報
９７    携帯電話機一覧テーブル
９８    携帯電話機認証情報
２６    携帯電話機位置管理テーブル
７０    携帯電話機識別情報
７１    電話交換機アドレス情報
７３    対携帯電話機無線通信管理情報
７  回線交換網
【図１】
2004357152.tif 000003
【図２】
2004357152.tif 000004
【図３】
2004357152.tif 000005
【図４】
2004357152.tif 000006
【図５】
2004357152.tif 000007
【図６】
2004357152.tif 000008
【図７】
2004357152.tif 000009
【図８】
2004357152.tif 000010
【図９】
2004357152.tif 000011
【図１０】
2004357152.tif 000012
【図１１】
2004357152.tif 000013
【図１２】
2004357152.tif 000014
【図１３】
2004357152.tif 000015